(57)【要約】【課題】ショックアブソーバ装置を提供する。【解決手段】ラックフレームを固定するように配置され、第１組のレール部材を含む上部ラックフレームと、第２組のレール部材及び上部ラックフレームの第１組のレール部材に対応する第１組のキャリアを含み、第１組のレール部材が第１の複数のキャリアの移動を第１の軸に制限するように配置される中間ボードと、中間ボードの第２組のレール部材に対応する第２組のキャリアを含み、第２組のレール部材が第２の複数のキャリアの移動を第２の軸に制限するように配置される底部ラックフレームと、を含むショックアブソーバ装置を提供する。【選択図】図５
2019108977.tif 000002
【特許請求の範囲】
【請求項１】
ラックフレームを固定するように配置され、複数の第１のレール部材を含む上部ラックフレームと、
複数の第２のレール部材及び前記上部ラックフレームの前記第１のレール部材に対応する複数の第１のキャリアを含み、前記第１のレール部材が前記第１のキャリアの移動を第１の軸に制限するように配置される中間ボードと、
前記中間ボードの前記第２のレール部材に対応する複数の第２のキャリアを含み、前記第２のレール部材が前記第２のキャリアの移動を第２の軸に制限するように配置される底部ラックフレームと、
を備えるショックアブソーバ装置。
【請求項２】
前記中間ボードは、前記第１の軸に用いられる複数の第１のバネモジュール及び前記第２の軸に用いられる複数の第２のバネモジュールを含む請求項１に記載のショックアブソーバ装置。
【請求項３】
前記底部ラックフレームは、前記ラックフレームの第３の軸に沿った移動を防止する複数のダンパーを含む請求項１又は２に記載のショックアブソーバ装置。
【請求項４】
前記中間ボードは、前記第１の軸に用いられる複数の第１のエアクッションモジュール及び前記第２の軸に用いられる複数の第２のエアクッションモジュールを含む請求項１に記載のショックアブソーバ装置。
【請求項５】
前記底部ラックフレームは、前記ラックフレームの第３の軸に沿った移動を防止する複数のダンパーを含む請求項１又は４に記載のショックアブソーバ装置。
【請求項６】
前記ショックアブソーバ装置を床表面に固定するように配置される水平調整足装置を更に含む請求項１に記載のショックアブソーバ装置。
【請求項７】
前記水平調整足装置は、前記床表面に接触する時に前記ショックアブソーバ装置の移動を防止することができるようにする外面材料を含む接触要素を備える請求項６に記載のショックアブソーバ装置。
【請求項８】
前記水平調整足装置は、前記ショックアブソーバ装置の前記底部ラックフレームから後退することができる請求項６又は７に記載のショックアブソーバ装置。
【請求項９】
少なくとも１つの垂直コラムによって接続される下側ビームと上側ビームと前後ビームからなるラックフレームと、
前記ラックフレームの下に位置するショックアブソーバ装置と、
を備え、
前記ショックアブソーバ装置は、
前記ラックフレームを固定するように配置され、複数の第１のレール部材を含む上部ラックフレームと、
複数の第２のレール部材及び前記上部ラックフレームの前記第１のレール部材に対応する複数の第１のキャリアを含み、前記第１のレール部材が前記第１のキャリアの移動を第１の軸に制限するように配置される中間ボードと、
前記中間ボードの前記第２のレール部材に対応する複数の第２のキャリアを含み、前記第２のレール部材が前記第２のキャリアの移動を第２の軸に制限するように配置される底部ラックフレームと、
を含有するラック。
【請求項１０】
前記ショックアブソーバ装置を床表面に固定するように配置される水平調整足装置を更に含む請求項９に記載のラック。
【発明の詳細な説明】
【技術分野】
【０００１】
本開示は、一般的に、サーバー及び電子設備に用いられるラックシステムに関し、更に具体的には、地震の揺れ又は地震の衝撃による損害を最小限に抑えるための装置及び方法に関する。
【背景技術】
【０００２】
一般的に、地震の揺れ又は地震の衝撃によって電子設備を被害することから保護することが望まれる。地震の揺れや地震の衝撃が発生した後で、地震の付近に位置する電気通信設備が相変わらず動作できることは、特に重要である。あるデータセンターでは、フレームをボルトで床に固定することで、強い地震の揺れや地震の衝撃によっての電子素子に対する影響を制限する。ラックシステムを床にボルトで固定すると、ラックシステムが転倒する危険性が少なくなる。ただし、ラックシステムを地面にボルトで固定しても、地震の荷重下でラックの床の上方の部分が揺れ動くことで、ラックにおけるコンピュータ装置が損傷することを回避できない場合がある。
【０００３】
従って、電子素子を専門的に設計されたフレームの中に取り付ける。このフレームは、近く発生する可能性のある最も厳しい地震の揺れ及び地震の衝撃に耐えられるように、この設備を支持するためのものである。周知のように、耐震フレームはできるだけ高い固有振動数（ｎａｔｕｒａｌ  ｖｉｂｒａｔｉｏｎａｌ  ｆｒｅｑｕｅｎｃｙ）を有するべきであるので、このような剛性フレームはこの目的のために製造される。典型的には、耐震フレームは、大きな断面支持及び補強部材を有する大きな断面構造で作られる。これらの耐震フレームは、非常に重く、製造コストが高い。
【０００４】
従来のフレームは、通常、ボトム支持構造により実現される。しかしながら、従来のフレームは、その具体的な設計に従って実施されていない。例えば、コンクリート床に安全に取り付けられる場合、従来のフレームは、約８．３のリヒター・スケール（Ｒｉｃｈｔｅｒ  ｓｃａｌｅ）の強度測定値を有する地震にさらされた時に、約６．５Ｈｚの固有振動数を有する。この振動数は、フレームにより支持される電気通信設備の損傷を防ぐために許容される。しかしながら、電気通信設備は、通常、建物の上層階、例えば２階又は３階に位置する。地震活動中に、床の動きの水平加速度のレベルは、最下階の床から上階の床まで、即ち地面から上方へ増加する。従来のフレームが地面より上方に設けられる場合、床の加速レベルがフレームに効果的に作用するので、強い地震や地震活動の影響から電子設備を保護する可能性が低い。従って、従来のフレームは、効果がない。
【発明の概要】
【発明が解決しようとする課題】
【０００５】
本開示は、上記問題を最小限に抑えることのできる耐震電子設備フレームを提供する。
【課題を解決するための手段】
【０００６】
本開示の一部の実施例によれば、ラックフレームを固定するように配置され、第１の複数のレール部材を含む上部ラックフレームと、第２の複数のレール部材及び上部ラックフレームの第１の複数のレール部材に対応する第１の複数のキャリアを含み、第１の複数のレール部材が第１の複数のキャリアの移動を第１の軸に制限するように配置される中間ボードと、中間ボードの第２の複数のレール部材に対応する第２の複数のキャリアを含み、第２の複数のレール部材が第２の複数のキャリアの移動を第２の軸に制限するように配置される底部ラックフレームと、を含むショックアブソーバ装置を提供する。
【０００７】
本開示の一部の実施例によれば、中間ボードは、第１の軸に用いられる第１の複数のバネモジュール及び第２の軸に用いられる第２の複数のバネモジュールを含む。
【０００８】
本開示の一部の実施例によれば、底部ラックフレームは、ラックフレームの第３の軸に沿った移動を防止する複数のダンパーを含む。
【０００９】
本開示の一部の実施例によれば、中間ボードは、第１の軸に用いられる第１の複数のエアクッションモジュール及び第２の軸に用いられる第２の複数のエアクッションモジュールを含む。
【００１０】
本開示の一部の実施例によれば、底部ラックフレームは、ラックフレームの第３の軸に沿った移動を防止する複数のダンパーを含む。
【００１１】
本開示の一部の実施例によれば、ショックアブソーバ装置を床表面に固定するように配置される水平調整足装置を更に含む。
【００１２】
本開示の一部の実施例によれば、水平調整足装置は、床表面に接触する時にショックアブソーバ装置の移動を防止するようにする外面材料を含む接触要素を備える。
【００１３】
本開示の一部の実施例によれば、水平調整足装置は、ショックアブソーバ装置の底部ラックフレームから後退することができる。
【００１４】
本開示の一部の実施例によれば、少なくとも１つの垂直コラムによって接続される下側ビームと上側ビームと前後ビームからなるラックフレームと、ショックアブソーバ装置を備えるラックを提供する。ショックアブソーバ装置は、ラックフレームの下に位置する。ショックアブソーバ装置は、ラックフレームを固定するように配置され、第１の複数のレール部材を含む上部ラックフレームと、第２の複数のレール部材及び上部ラックフレームの第１の複数のレール部材に対応する第１の複数のキャリアを含み、第１の複数のレール部材が第１の複数のキャリアの移動を第１の軸に制限するように配置される中間ボードと、中間ボードの第２の複数のレール部材に対応する第２の複数のキャリアを含み、第２の複数のレール部材が第２の複数のキャリアの移動を第２の軸に制限するように配置される底部ラックフレームと、を含有する。
【００１５】
本開示の一部の実施例によれば、中間ボードは、第１の軸に用いられる第１の複数のバネモジュール及び第２の軸に用いられる第２の複数のバネモジュールを含む。
【００１６】
本開示の一部の実施例によれば、底部ラックフレームは、ラックフレームが第３の軸において移動することを防止する複数のダンパーを含む。
【００１７】
本開示の一部の実施例によれば、中間ボードは、第１の軸に用いられる第１の複数のエアクッションモジュール及び第２の軸に用いられる第２の複数のエアクッションモジュールを含む。
【００１８】
本開示の一部の実施例によれば、底部ラックフレームは、ラックフレームが第３の軸において移動することを防止する複数のダンパーを含む。
【００１９】
本開示の一部の実施例によれば、ショックアブソーバ装置を床表面に固定するように配置される水平調整足装置を更に含む。
【００２０】
本開示の一部の実施例によれば、水平調整足装置は、床表面に接触する時にショックアブソーバ装置の移動を防止するようにする外面材料を含む接触要素を備える。
【００２１】
本開示の一部の実施例によれば、水平調整足装置は、ショックアブソーバ装置の底部ラックフレームから後退することができる。
【図面の簡単な説明】
【００２２】
本開示の上記と他の利点及び特徴が得られる形態を説明するために、参照図面に示した具体的な例示により上記の原理のより詳細な説明を示す。これらの図面は、単なる本開示の例示的な態様を示すため、その範囲に対する限定するものとみなされるべきではない。これらの原理は、以下の図面を使用して追加の特徴及び詳細により説明及び解釈される。
【図１Ａ】本開示の実施形態によるショックアブソーバ装置に取り付けられるラックを示す斜視図である。
【図１Ｂ】本開示の実施形態によるラックを示す斜視図、及びショックアブソーバ装置を示す分解図である。
【図２】本開示の実施形態によるショックアブソーバ装置を示す。
【図３Ａ】本開示の第１の実施例によるバネ及びゴムダンパーを使用するショックアブソーバ装置を示す。
【図３Ｂ】本開示の第２の実施例によるエアクッション及びゴムダンパーを使用するショックアブソーバ装置を示す。
【図４】ショックアブソーバ装置をより詳しく示す。
【図５】ショックアブソーバ装置をより詳しく示す。
【図６】ラックのショックアブソーバ装置に対する変位を示す。
【図７Ａ】第１の位置に位置するように図２のショックアブソーバ装置に取り付けられる水平調整足装置を示す。
【図７Ｂ】第２の位置に位置するように図２のショックアブソーバ装置に取り付けられる水平調整足装置を示す。
【図８】図３Ａのショックアブソーバ装置の断面Ａ−Ａに沿った横断面を示す。
【図９】図３Ａのショックアブソーバ装置の断面Ｂ−Ｂに沿った横断面を示す。
【発明を実施するための形態】
【００２３】
以下、添付図面を参照して本発明を説明するが、添付図面において同一の数字記号を使用して類似又は等しい素子を指定する。添付図面は、実際的に比例して描かれたものではなく、単に本発明を説明するために提供される。以下、説明用の適用事例を参照して、本発明の複数の態様を説明する。注意すべきなのは、以下、本発明を全面的に理解させるために、数多くの具体的な細部、関係及び方法を述べる。しかしながら、当業者であれば、１つ又は複数の具体的な細部がなくても又は他の方法でも本発明を実施することもできることは容易に理解できる。他の実施例において、本発明を不明確にしないように、既知の構造や操作は詳しく示されていない。ある動作が異なる順序で発生し及び／又は他の動作や事件と同時に発生する場合があるため、本発明は、動作や事件の説明順序により制限されない。また、示された全ての動作や事件の何れも本発明の方法に基づいて実施されるわけでもない。
【００２４】
上記のように、耐震電子設備フレームを提供することは、重大な意義がある。特に、下記メカニズムの開発に、大きな関心が寄せられている。（１）フレームの地面に効果的に作用する加速レベルの動きが考慮されること。（２）全ての動作周波数範囲で消費される振動。本開示のある実施例は、衝撃力及び周波数に帳消しするように剛性及び減衰を提供するために、バネ及びゴムダンパー（ｒｕｂｂｅｒ  ｄｕｍｐｅｒ）を提供する。代替又は追加の実施例において、本開示は、衝撃力及び周波数に帳消しするように剛性及び減衰を提供するために、エアクッション（ａｉｒ  ｃｕｓｈｉｏｎ）及びゴムダンパーを提供する。実施例に明示されていないが、本開示の実施例の範囲内で、エアクッション及びバネを付加の振動減衰装置として使用することができると考えられ、補償振動減衰装置が代わりの専用の装置として組み込まれてもよいことを意図する。
【００２５】
図１Ａは、例示的な実施例におけるラック１００を示す斜視図である。ラック１００は、データセンター内に取り付けられる複数のラックの１つであってよい。ラック１００は、前後ビーム（ｆｒｏｎｔ−ｔｏ−ｂａｃｋ  ｂｅａｍ）９０、上側ビーム８０、下側ビーム７０、垂直コラム６０、天板１４０、ベース１４５、左壁１２０及び右壁１３０を含む。少なくとも１つの垂直コラムによって接続される前後ビーム９０と、上側ビーム８０と、と下側ビーム７０とがラックフレーム１５０Ａを形成する。一部の実施例において、前後ビーム９０は、下側ビーム７０及び上側ビーム８０に永久に接続される。例えば、リベットや溶接等の永久的なコネクタによって前後ビーム９０を下側ビーム７０及び上側ビーム８０に接続する。代替の実施例において、前後ビーム９０は、下側ビーム７０及び上側ビーム８０に取り外し可能に接続される。例えば、取り外し可能なコネクタ又はファスナー（例えばナットやボルト、ネジ等）によって、前後ビーム９０を下側ビーム７０及び上側ビーム８０に接続する。ショックアブソーバ装置２００は、ラックフレーム１５０Ａの下に設置されてよい。これは、図１Ｂでより詳しく検討される。
【００２６】
具体的に垂直コラム６０は、前後ビーム９０と、上側ビーム８０と、下側ビーム７０に接続されてラックフレーム１５０Ａを形成する。ある実施例において、垂直コラム６０は、下側ビーム７０及び上側ビーム８０に取り外し可能に接続される。例えば、垂直コラム６０は、例えばナットやボルト、ネジ等の取り外し可能なコネクタによって下側ビーム７０及び上側ビーム８０に接続される。代替の実施例において、垂直コラム６０は、下側ビーム７０及び上側ビーム８０に永久に接続される。例えば、垂直コラム６０は、例えばリベットや溶接等の永久的なコネクタによって、下側ビーム７０及び上側ビーム８０に永久に接続される。
【００２７】
ある実施例において、左壁１２０及び右壁１３０は、前後ビーム９０及び垂直コラム６０に取り外し可能に接続される。例えば、左壁１２０及び右壁１３０は、例えばナットやボルト、ネジ等の取り外し可能なコネクタによって、前後ビーム９０及び垂直コラム６０に接続される。代替の実施例において、左壁１２０及び右壁１３０は、前後ビーム９０及び垂直コラム６０に永久に接続される。例えば、左壁１２０及び右壁１３０は、例えばリベットや溶接等の永久的なコネクタによって、前後ビーム９０及び垂直コラム６０に接続される。左壁１２０及び右壁１３０は、ラック１００に追加の剛性を提供し、より具体的に、前後ビーム９０及び垂直コラム６０に追加の剛性を提供する。
【００２８】
図１Ｂは、本開示の実施形態によるラック１００を示す斜視図、及びショックアブソーバ装置２００を示す分解図である。ベース１４５は、ラック１００の垂直コラム６０に接続される。ある実施例において、ベース１４５は、垂直コラム６０に取り外し可能に接続される。例えば、ベース１４５は、例えばナットやボルト、ネジ等の取り外し可能なコネクタによって垂直コラム６０に接続される。代替の実施例において、ベース１４５は、垂直コラム６０に永久に接続される。例えば、ベース１４５は、例えばリベットや溶接等の永久的なコネクタによって、垂直コラム６０に接続される。ベース１４５も、ショックアブソーバ装置２００に取り外し可能に接続される。ショックアブソーバ装置２００は、中間ボード２３０及び底部ラックフレーム２６０を含む。ベース１４５、中間ボード２３０及び底部ラックフレーム２６０同士の接続については、下記の図２でより詳しく説明する。ある実施例において、ベース１４５は、上部ラックフレームであるショックアブソーバ装置の部材であってよい。
【００２９】
図２は、本開示の実施形態によるショックアブソーバ装置２００を示す。ラック１００のベース１４５は、ｙ軸において移動するためのレール部材１５５を含んでよい。ショックアブソーバ装置２００の中間ボード２３０は、ｙ軸において移動するためのキャリア（ｃａｒｒｉｅｒ）２３３及びｘ軸において移動するためのレール部材２３５を含んでよい。底部ラックフレーム２６０は、ｘ軸において移動するためのキャリア２６３を含んでよい。ベース１４５のレール部材１５５は、対応する設備がｙ軸のみで移動するように制限してよい。類似的に、中間ボード２３０のレール部材２３５は、対応する設備がｘ軸のみで移動するように制限してよい。
【００３０】
このような状況で、ベース１４５のレール部材１５５は、中間ボード２３０のキャリア２３３を受けるように配置される。レール部材１５５は、キャリア２３３の移動をｙ軸に制限する。中間ボード２３０のレール部材２３５は、底部ラックフレーム２６０のキャリア２６３を受けるように配置される。レール部材２３５は、キャリア２６３の移動をｘ軸に制限する。個別のレール部材及び対応するキャリアによって、ラック１００がｘ及びｙ軸においてショックアブソーバ装置２００に対して変位することができる。また、個別のレール部材及び対応するキャリアは、ｚ軸における移動を制限する。これらの組み合わされたリニアガイドにより、ラック１００のショックアブソーバ装置２００に対する特定の動きが制限される。
【００３１】
本開示のある実施例において、ベース１４５、中間ボード２３０及び底部ラックフレーム２６０は、衝撃力及び周波数に帳消しするように剛性及び減衰を提供するために、バネ及びダンパーモジュールを含んでよい。代替の実施例において、ベース１４５、中間ボード２３０及び底部ラックフレーム２６０は、衝撃力及び周波数に帳消しするように剛性及び減衰を提供するために、エアクッション及びダンパーモジュールを含んでよい。バネ及びダンパーモジュール又はエアクッション及びダンパーモジュールに組み合わされたリニアガイドにより、ショックアブソーバ装置２００は、地震又は他の地震活動に関連する大部分の地震エネルギーを吸収することができる。これについては、以下の図４及び図５でより詳しく検討する。
【００３２】
図３Ａは、第１の実施例によるバネ及びゴムダンパーを使用するショックアブソーバ装置２００Ａを示す。それに対して、図３Ｂは、第２の実施例によるエアクッション及びゴムダンパーを使用するショックアブソーバ装置２００Ｂを示す。図２に戻すと、ベース１４５はｙ軸のレールを含み、中間ボード２３０はｙ軸キャリア及びｘ軸のレールを含み、底部ラックフレームはｘ軸のキャリア及びｚ軸に用いられるゴムダンパー（以下、図４及び図５で検討する）を含む。図３Ａに示すように、バネ及びダンパーモジュールを、ベース（未図示）と中間ボード２３０Ａと底部ラックフレーム２６０Ａとの間に取り付ける。図２に示すリニアガイド部材の配置に組み合わせて、バネ及びダンパーモジュールにより、ラック１００がショックアブソーバ装置２００Ａに対して変位することができる。
【００３３】
図３Ｂに示すように、エアクッション及びダンパーモジュールをベース（未図示）と中間ボード２３０Ｂ及び底部ラックフレーム２６０Ｂとの間に組み立てる。以上の図２に示されたリニアガイド部材の配置に組み合わせて、エアクッション及びダンパーモジュールにより、ラック１００がショックアブソーバ装置２００Ｂに対して変位することができる。まず、ラック１００の相対変位を示す図６を参照されたい。ラック１００は、ｘ軸及びｙ軸においてショックアブソーバ装置２００に対して移動すると共に、ｚ軸での移動を制限することができる。バネ及びダンパーモジュール（図３Ａ）又はエアクッション及びダンパーモジュール（図３Ｂ）に組み合わせられるこれらのリニアガイド部材は、地震又は他の地震活動による地震エネルギーを吸収する。
【００３４】
図４は、ショックアブソーバ装置２００Ａをより詳しく示す。ショックアブソーバ装置２００Ａは、中間ボード２３０Ａ及び底部ラックフレーム２６０Ａを含んでよい。中間ボード２３０Ａは、ｘ軸に用いられるバネモジュール２３７及びｙ軸に用いられるバネモジュール２３９を含んでよい。底部ラックフレーム２６０Ａは、ｚ軸での移動を制限するためのゴムダンパー２６５を含んでよい。
【００３５】
まず、ショックアブソーバ装置２００Ａの断面Ａ−Ａに沿った横断面を示す図８を参照されたい。ベース１４５のレール部材１５５は、中間ボード２３０Ａのキャリア２３３に接続されてよい。ゴムダンパー２６５は、ベース１４５と中間ボード２３０Ａとの間に組み立てられてよい。まず、ショックアブソーバ装置２００Ａの断面Ｂ−Ｂに沿った横断面を示す図９を参照されたい。中間ボード２３０のレール部材２３５は、底部ラックフレーム２６０Ａのキャリア２６３に接続されてよい。ベース１４５、中間ボード２３０Ａ及び底部ラックフレーム２６０Ａの間に配置されるバネモジュール２３７、２３９及びゴムダンパー２６５により、ラック（図２に示すように）は、地震エネルギーを吸収すると共に、ショックアブソーバ装置２００Ａに対して変位することができる。
【００３６】
図５は、ショックアブソーバ装置２００Ｂをより詳しく示す。ショックアブソーバ装置２００Ｂは、中間ボード２３０Ｂ及び底部ラックフレーム２６０Ｂを含んでよい。中間ボード２３０Ｂは、ｙ軸に用いられるエアクッションモジュール２４１及びｘ軸に用いられるエアクッションモジュール２４３を含んでよい。底部ラックフレーム２６０Ｂは、ｚ軸での移動を制限するためのゴムダンパー２６７を含んでよい。図２に示すように、ベースのレール部材（何れも図２に示す）は、中間ボード２３０Ｂのキャリア２３３に接続されてよい。また、中間ボード２３０のレール部材２３５は、底部ラックフレーム２６０Ｂのキャリア２６３に接続されてよい。ラック（図２に示すように）と中間ボード２３０Ｂと底部ラックフレーム２６０Ｂとの間に組み立てられるエアクッションモジュール２４１、２４３及びゴムダンパー２６７により、ラック（図２に示すように）は、地震エネルギーを吸収すると共に、ショックアブソーバ装置２００Ｂに対して移動することができる。
【００３７】
データセンター内の複数のラックにおけるラックフレーム１５０Ａの下に設置されるショックアブソーバ装置２００は、地震関連の影響を緩和することができる。各ラック１００は、開示されたショックアブソーバ装置２００に組み合わせられて地震又は他の地震活動による影響を抑制することができる。十分に効果的にするように、ショックアブソーバ装置２００は、安定した表面、即ち床又は地面に固定されなければならない。
【００３８】
図６は、ラック１００のショックアブソーバ装置２００に対する相対変位を示す。ラック１００は、ｘ軸及びｙ軸においてショックアブソーバ装置２００に対して移動すると共に、ｚ軸での移動を制限することができる。バネ及びダンパーモジュール（図３Ａ）又はエアクッション及びダンパーモジュール（図３Ｂ）に組み合わされたリニアガイド部材により、（図２の）地震又は他の地震活動による地震エネルギーを吸収する。
【００３９】
図７Ａは、第１の位置に位置するように（図２の）ショックアブソーバ装置２００に取り付けられる水平調整足装置（ｌｅｖｅｒｉｎｇ  ｆｅｅｔ  ｄｅｖｉｃｅ）２８０を示す。水平調整足装置２８０は、接続部材２８２、停止要素２８４及び接触要素２８６を含んでよい。底部ラックフレーム２６０は、水平調整足装置２８０の接続部材２８２を受けるように配置される孔（未図示）を含んでよい。孔（未図示）は、水平調整足装置２８０と同じ円周を持つように配置されるので、水平調整足装置２８０の接続部材２８２がわずかな公差又は公差がない状態で孔内に摺動することができる。停止要素２８４は、水平調整足装置２８０がｚ軸方向で更に前進することを防止するために、底部ラックフレーム２６０の孔（未図示）よりも大きい円周を有してよい。また、水平調整足装置２８０の接触要素２８６は、床表面で移動する時に摩擦を提供できる材料で製造されてよい。例えば、水平調整足装置２８０の接触要素２８６は、床との接触によってショックアブソーバ装置２００の移動を防止するように、ゴム外面を有してよい。それに比べると、接続部材２８２及び停止要素２８４は、より硬い材料で製造されてよい。接続部材２８２、停止要素２８４及びその素子は、金属シートで従来の金属製造技術（例えば曲げ、成形及びスタンピング）を使用して製造されてよい。従って、接続部材２８２及び停止要素２８４を安価に製造することができる。或いは、中間ボード２３０及びその素子は、アルミニウム合金、鋼合金又はそれらの任意の組み合わせで製造されてよい。
【００４０】
図７Ｂは、第２の位置に位置するように図２のショックアブソーバ装置２００に取り付けられる水平調整足装置２８０を示す。水平調整足装置２８０は、第２の位置に位置する場合、接触要素２８６が床に接触しないように位置決めされる。具体的に、水平調整足装置２８０は、ショックアブソーバ装置２００及びラック１００を床又は地面に固定することはない。これにより、水平調整足装置２８０からの抵抗力がない状況で、操作者が自由にラック１００及びショックアブソーバ装置２００を表面で移動させることを可能にする。
【００４１】
本開示は、ショックアブソーバ装置を提供する。このショックアブソーバ装置は、上部ラックフレーム、中間ボードと底部ラックフレームを含む。上部ラックフレームは、ラックフレームを固定するように配置される。上部ラックフレームは、第１組のレール部材を含む。中間ボードは、第２組のレール部材及び上部ラックフレームにおける第１組のレール部材に対応する第１組のキャリアを含む。第１組のレール部材は、第１の複数のキャリアの移動を第１の軸に制限するように配置される。底部ラックフレームは、中間ボードの第２組のレール部材に対応する第２組のキャリアを含む。第２組のレール部材は、第２の複数のキャリアの移動を第２の軸に制限するように配置される。
【００４２】
本開示の一態様によいて、中間ボードは、第１の軸に用いられる第１組のバネモジュール及び第２の軸に用いられる第２組のバネモジュールを含む。本開示のある実施例において、底部ラックフレームは、ラックフレームの第３の軸に沿った移動を防止する一組のダンパーを含む。本開示のある代替の実施例において、中間ボードは、第１の軸に用いられる第１組のエアクッションモジュール及び第２の軸に用いられる第２組のエアクッションモジュールを含む。ある実施例において、ショックアブソーバ装置は、ショックアブソーバ装置を床表面に固定するように配置される水平調整足装置を更に含む。以上の図７Ａと図７Ｂにおける水平調整足装置に関する詳しい説明を参照されたい。本開示のある実施例において、水平調整足装置は、接触要素を含む。接触要素は、外面材料を含み、これにより床表面に接触する時にショックアブソーバ装置とその上のラックフレームの移動を防止することができるようにする。本開示のある実施例において、水平調整足装置は、ショックアブソーバ装置の底部ラックフレームから後退することができる。
【００４３】
本開示は、ラックを更に提供する。ラックは、少なくとも１つの垂直コラムによって接続される下側ビームと上側ビームと前後ビームからなるラックフレームを含む。ラックは、ラックフレームの下に位置するショックアブソーバ装置を更に含む。このショックアブソーバ装置は、上部ラックフレーム、中間ボードと底部ラックフレームを含む。上部ラックフレームは、ラックフレームを固定するように配置される。上部ラックフレームは、第１組のレール部材を含む。中間ボードは、第２組のレール部材及び上部ラックフレームの第１組のレール部材に対応する第１組のキャリアを含む。第１組のレール部材は、第１の複数のキャリアの移動を第１の軸に制限するように配置される。底部ラックフレームは、中間ボードの第２組のレール部材に対応する第２組のキャリアを含む。第２組のレール部材は、第２の複数のキャリアの移動を第２の軸に制限するように配置される。
【００４４】
本明細書で説明する例の何れも、ソリッド・ステート・ドライブ（ｓｏｌｉｄ  ｓｔａｔｅ  ｄｒｉｖｅ；ＳＳＤ）装置に関するものであるが、これらは単なる例示であり、本開示はこの点に限定されないことを理解されたい。それに対して、コンピュータデータセンターに取り付けられた任意の電子素子は、開示された範囲内で実施することができる。
【００４５】
本開示の追加特徴とメリットは、上記の説明に記載されており、その一部が説明から明らかになり、又は本開示の原理の実践によって学習することができる。本開示の特徴とメリットは、添付の特許請求の範囲で特に指摘された方法及び組み合わせによって実現及び習得することができる。本開示のこれらの特徴及び他の特徴は、以上の記述と添付の特許請求の範囲により完全に明らかになり、又は本明細書に記載の原理の実施により習得することができる。
【００４６】
本開示の特定の実施形態が図示して説明されたが、当業者には、広い態様において本開示から逸脱することなく変更及び修正を行うことができることは明らかである。従って、添付の特許請求の範囲は、本開示の真の精神及び範囲内に入る全ての変更及び修正を含むことが意図されている。前述の説明及び図面に記載された内容は単なる例示であって限定的なものではない。本開示の実際の範囲は、従来技術に基づく適切な観点から見た場合、以下の特許請求の範囲に定義されることが意図されている。
【００４７】
ここに使用される用語は、特定の実施例のみを説明するためのものであり、本発明を限定するものではない。本明細書で使用されるように、単数形の「一」、「１つ」と「前記」は、上下文で別に明確に指示されない限り、複数形も含むことが意図される。また、「備える」、「有する」、「ある」又はそれらの変形が、詳細な説明及び/又は請求項において使用される限り、そのような用語は、用語「含む」と同様の態様を包含することが意図される。
【００４８】
別に定義されない限り、ここに使用される全ての用語（技術用語及び科学用語を含む）は、当業者によって一般的に理解されるのと同じ意味を有する。例えば、辞書に一般的に使用されているような用語は、関連分野の文脈における意味と一致する意味を有すると解釈されるべきであり、明確に定義されていない限り、理想化された又は過度に形態的な意味として理解されない。
【符号の説明】
【００４９】
６０  垂直コラム
７０  下側ビーム
８０  上側ビーム
９０  前後ビーム
１００  ラック
１２０  左壁
１３０  右壁
１４０  天板
１４５  ベース（上部ラックフレーム）
１５０Ａ  ラックフレーム
１５５  レール部材
２００、２００Ａ、２００Ｂ  ショックアブソーバ装置
２３０、２３０Ａ、２３０Ｂ  中間ボード
２３３  キャリア
２３５  レール部材
２３７、２３９  バネモジュール
２４１、２４３  エアクッションモジュール
２６０、２６０Ａ、２６０Ｂ  底部ラックフレーム
２６３  キャリア
２６５、２６７  ゴムダンパー
２８０  水平調整足装置
２８２  接続部材
２８４  停止要素
２８６  接触要素
Ａ−Ａ、Ｂ−Ｂ  断面
ｘ、ｙ、ｚ  軸
【図１】
2019108977.tif 000003
【図２】
2019108977.tif 000004
【図３】
2019108977.tif 000005
【図４】
2019108977.tif 000006
【図５】
2019108977.tif 000007
【図６】
2019108977.tif 000008
【図７】
2019108977.tif 000009
【図８】
2019108977.tif 000010
【図９】
2019108977.tif 000011